(57)【要約】【課題】電気化学デバイスの電解質膜の水素イオン移動抵抗が高い状態で、電気化学デバイスに電流を流して運転を開始することを抑え、水素純化効率の高い水素生成システムを提供する。【解決手段】水素生成システム８は、アノード１からアノードセパレータ１８を介してアノード排出経路１５に排出される水素含有排ガスに含まれる水分量を測定する水分量検出手段９を備える。ガス供給手段６がアノード１への水素含有ガスの供給を開始した後に、水分量検出手段９で測定された水素含有排ガス中の水分量が、アノード１に供給した水素含有ガスと同じ水分量に増加したときに、電源４により、アノード１から電解質膜３を介してカソード２へ電流を流す。これにより、電解質膜３の水素イオン移動抵抗が低い状態になってから水素生成運転を開始するので、水素純化効が向上する。【選択図】図１
2020075838.tif 000002
【特許請求の範囲】
【請求項１】
電解質膜と前記電解質膜を挟んで前記電解質膜の一方の主面に配置されるアノードと前記電解質膜の他方の主面に配置されるカソードとで構成される電解質膜−電極接合体を有し、前記アノードに水素含有ガスを供給し、前記アノードと前記カソードとの間に所定方向の電流を流すことで、前記カソードにおいて水素を生成する電気化学デバイスと、
前記水素含有ガスを供給するガス供給手段と、
前記電気化学デバイスの前記アノードと前記カソードとの間に前記電流を流すための電源と、
前記電気化学デバイスの前記アノードから排出される水素含有排ガスに含まれる水分量を測定する水分量検出手段と、
制御器と、
を備え、
前記制御器は、前記ガス供給手段に前記アノードへの前記水素含有ガスの供給を開始させた後に、前記水分量検出手段で測定された前記水素含有排ガスに含まれる単位時間当たりの水分量が所定値以上になったときに、前記電源を制御して前記電流を流すことを特徴とする水素生成システム。
【請求項２】
前記水素含有排ガスから分離した液水を貯める回収タンクをさらに備え、
前記水分量検出手段は、前記回収タンクの液水量を測定する液水量測定手段であり、
前記制御器は、前記液水量測定手段で測定された単位時間当たりに増加した液水量が所定値以上となったときに、前記電源を制御して前記電流を流すことを特徴とする請求項１に記載の水素生成システム。
【請求項３】
電解質膜と前記電解質膜を挟んで前記電解質膜の一方の主面に配置されるアノードと前記電解質膜の他方の主面に配置されるカソードとで構成される電解質膜−電極接合体を有し、前記アノードに水素含有ガスを供給し、前記アノードと前記カソードとの間に所定方向の電流を流すことで、前記カソードにおいて水素を生成する電気化学デバイスと、
前記水素含有ガスを供給するガス供給手段と、
前記電気化学デバイスの前記アノードと前記カソードとの間に前記電流を流すための電源と、
前記電気化学デバイスの前記アノードから排出される水素含有排ガスに含まれる水分量を測定する水分量検出手段と、
を備える水素生成システムの運転方法であって、
前記ガス供給手段が前記アノードへの前記水素含有ガスの供給を開始した後に、前記水分量検出手段で測定された前記水素含有排ガスに含まれる単位時間当たりの水分量が所定値以上になったときに、前記電源により前記電流を流すことを特徴とする水素生成システムの運転方法。
【発明の詳細な説明】
【技術分野】
【０００１】
本発明は、電気化学デバイスを用いて、水素含有ガスから純度の高い水素を生成する水素生成システムに関するものである。
【背景技術】
【０００２】
この種の水素生成システムは、水素含有ガスから電気化学反応を利用して、純度の高い水素を生成するシステムである。この水素生成システムは、例えば、水素イオンを輸送する電解質膜をアノードとカソードとの間に配置した電気化学デバイスを備えている。
【０００３】
アノードに加湿された水素含有ガスを供給して、アノードとカソードとの間に所定方向の電流を流すことで、アノードでは、（化１）に示す水素が水素イオンと電子に解離する酸化反応が起こり、カソードでは、（化２）に示す水素イオンと電子から水素が生成する還元反応が起こる。
【０００４】
【化１】
2020075838.tif 000003
【０００５】
【化２】
2020075838.tif 000004
以上の反応により、アノードに供給された水素含有ガスから、カソードで水素を生成させることができる（例えば、特許文献１参照）。
【０００６】
ここで、カソードで（化２）の反応を起こすために、（化１）で生成する水素イオン（Ｈ＋）をアノードからカソードに電解質膜を介して移動させるが、水素イオン移動抵抗を低くするためには電解質膜が十分に水分を保持している必要がある。
【０００７】
電解質膜が乾燥している状態では、電解質膜中の水分が少ないため、水素イオンが移動しにくく、水素イオン移動抵抗が高い。したがって、電解質膜の水素イオン移動抵抗を低くするために、電気化学デバイスには、水分を多く含んだ水素含有ガスを供給することがよく行われる。
【０００８】
電気化学デバイスに供給される水素含有ガスは、例えば、燃料処理器によって、都市ガスやプロパンガスなどの炭化水素系の原料を水蒸気改質や部分酸化改質、またはオートサーマル改質して生成され、水素の他に窒素や二酸化炭素等の不純物と水分を含んでいる。
【先行技術文献】
【特許文献】
【０００９】
【特許文献１】特公昭６２−５９１８４号公報
【発明の概要】
【発明が解決しようとする課題】
【００１０】
しかしながら、前記従来の技術は、水素イオン移動抵抗に着目しておらず、電解質膜の水素イオン移動抵抗が低い状態になっているか否かが分からない。
【００１１】
そのため、電解質膜の水素イオン移動抵抗が高い状態で電気化学デバイスに直流電流を流すと、水素イオン移動抵抗が低い状態に比べて水素イオン移動抵抗による過電圧が大きくなり、水素純化効率が低くなるという課題を有していた。ここで、水素純化効率とは電気化学デバイスに投入される電気エネルギーに対するカソードで生成される水素のエネルギーの割合である。
【００１２】
本発明は、前記従来の課題を解決するもので、水素純化効率の高い水素生成システムとその運転方法を提供することを目的とする。
【課題を解決するための手段】
【００１３】
前記従来の課題を解決するために、本発明の水素生成システムは、電解質膜と電解質膜を挟んで電解質膜の一方の主面に配置されるアノードと電解質膜の他方の主面に配置されるカソードとで構成される電解質膜−電極接合体を有し、アノードに水素含有ガスを供給し、アノードとカソードとの間に所定方向の電流を流すことで、カソードにおいて水素を生成する電気化学デバイスと、水素含有ガスを供給するガス供給手段と、電気化学デバイスのアノードとカソードとの間に電流を流すための電源と、電気化学デバイスのアノードから排出される水素含有排ガスに含まれる水分量を測定する水分量検出手段と、制御器とを備え、制御器が、ガス供給手段にアノードへの水素含有ガスの供給を開始させた後に、水分量検出手段で測定された水素含有排ガスに含まれる単位時間当たりの水分量が所定値以上になったときに、電源を制御して電流を流すことを特徴としたものである。
【００１４】
つまり、起動時にアノードから排出される水素含有排ガスに含まれる水分量を検出し、電解質膜の水素イオン移動抵抗が低い状態になってから電気化学デバイスに電流を流すのである。
【００１５】
これによって、電解質膜の水素イオン移動抵抗が低い状態で電流を流して、カソードで水素を生成させるようになり、電気化学デバイスに投入する電気量が少なくなる。これによって水素生成システムの水素純化効率が高くなる。
【００１６】
これは以下のように説明できる。まず、起動前の水素生成システムが停止している間、電気化学デバイスへ水分の供給を行わない。そのため、停止させている間に電解質膜に含まれる水分は徐々に蒸発し少なくなっている。
【００１７】
次に、起動時に、電気化学デバイスに電流を流さず水素含有ガスを供給すると、電解質膜は十分な湿潤状態になるまで供給された水素含有ガスから水分を奪う。よって水素含有排ガスには、供給した水素含有ガス中に含まれる水分量よりも少ない水分が含まれる。
【００１８】
そして、電解質膜が十分に湿潤すると、電解質膜の水素イオン移動抵抗が低くなると共に、水素含有ガス中から水分を奪わなくなる。よって、水素含有排ガスには、供給した水素含有ガスを同じ水分量が含まれる。
【００１９】
以上の現象を利用し、水素含有排ガスに含まれる単位時間当たりの水分量を検知することで、電解質膜の水素イオン移動抵抗が低い状態で電流を流すようになり、電気化学デバイスに投入する電気量が少なくなる。これによって、水素生成システムを高い水素純化効率にできる。
【発明の効果】
【００２０】
本発明の水素生成システムは、起動時にアノードから排出される水素含有排ガスに含まれる水分量から、電解質膜の湿潤状態を検知できる。そして、電解質膜の水素イオン移動
抵抗が低くなってから、電気化学デバイスに電流を流すので、水素純化効率の高い水素生成システムを提供できる。
【００２１】
また、電解質膜の水素イオン移動抵抗が低いので、電気化学デバイスに必要な電気エネルギーが小さくエネルギー消費量が少ない水素生成システムを提供できる。
【図面の簡単な説明】
【００２２】
【図１】本発明の実施の形態１における水素生成システムの概略構成図
【図２】本発明の実施の形態１における水素生成システムの運転方法のフローチャート
【図３】本発明の実施の形態２における水素生成システムの概略構成図
【図４】本発明の実施の形態２における水素生成システムの運転方法のフローチャート
【発明を実施するための形態】
【００２３】
第１の発明は、電解質膜と電解質膜を挟んで電解質膜の一方の主面に配置されるアノードと電解質膜の他方の主面に配置されるカソードとで構成される電解質膜−電極接合体を有し、アノードに水素含有ガスを供給し、アノードとカソードとの間に所定方向の電流を流すことで、カソードにおいて水素を生成する電気化学デバイスと、水素含有ガスを供給するガス供給手段と、電気化学デバイスのアノードとカソードとの間に電流を流すための電源と、電気化学デバイスのアノードから排出される水素含有排ガスに含まれる水分量を測定する水分量検出手段と、制御器と、を備えた水素生成システムであって、制御器は、ガス供給手段にアノードへの水素含有ガスの供給を開始させた後に、水分量検出手段で測定された水素含有排ガスに含まれる単位時間当たりの水分量が、所定値以上になったときに、電源を制御して電流を流すことを特徴とするものである。
【００２４】
これにより、電解質膜の水素イオン移動抵抗が低い状態で電気化学デバイスに電流を流すようになり、水素純化効率が高い水素生成システムにできる。
【００２５】
第２の発明は、特に、第１の発明に加えて、水素含有排ガスから分離した液水を貯める回収タンクをさらに備え、第１の発明の水分量検出手段を、液水量測定手段とし、液水量測定手段で測定された単位時間当たりに増加した液水量が所定値以上となったときに、電源により電流を流すことを特徴とするものである。
【００２６】
これにより、水素含有排ガスに含まれる水分を液水量として、より正確に測定し、電解質膜の湿潤状態を正確に検知することが可能となる。
【００２７】
第３の発明は、電解質膜と電解質膜を挟んで電解質膜の一方の主面に配置されるアノードと電解質膜の他方の主面に配置されるカソードとで構成される電解質膜−電極接合体を有し、アノードに水素含有ガスを供給し、アノードとカソードとの間に所定方向の電流を流すことで、カソードにおいて水素を生成する電気化学デバイスと、水素含有ガスを供給するガス供給手段と、電気化学デバイスのアノードとカソードとの間に電流を流すための電源と、電気化学デバイスのアノードから排出される水素含有排ガスに含まれる水分量を測定する水分量検出手段と、を備える水素生成システムの運転方法あって、ガス供給手段がアノードへの水素含有ガスの供給を開始した後に、水分量検出手段で測定された水素含有排ガスに含まれる単位時間当たりの水分量が所定値以上になったときに、電源により電流を流すことを特徴とするものである。
【００２８】
これにより、水素純化効率が高い水素生成システムの運転方法にできる。
【００２９】
以下、本発明の実施の形態について、図面を参照しながら説明する。なお、本実施の形態によって本発明が限定されるものではない。
【００３０】
（実施の形態１）
図１は、本発明の実施の形態１における水素生成システムの概略構成図を示すものである。図２は、本発明の実施の形態１における水素生成システムの運転方法のフローチャートである。
【００３１】
図１に示すように、本実施の形態の水素生成システム８は、水素含有ガスを供給するガス供給手段６と、アノード１に供給された水素含有ガスから水素含有ガスよりも水素の純度が高い水素をカソード２において生成する電気化学デバイス７と、電気化学デバイス７のアノード１とカソード２との間に所定の電流を流す電源４と、アノード１から排出される水素含有排ガスに含まれる水分量を測定する水分量検出手段９と、制御器５と、で構成されている。
【００３２】
電気化学デバイス７は、電解質膜−電極接合体１０と、アノードセパレータ１８と、カソードセパレータ１９と、温度調節器１７と、で構成されている。
【００３３】
電解質膜−電極接合体１０は、電解質膜３と、電解質膜３の一方の主面に配置されるアノード１と、電解質膜３の他方の主面に配置されるカソード２と、で構成される。
【００３４】
ここで、電解質膜３には、スルホン酸基を有するパーフルオロカーボンスルホン酸系の高分子電解質膜を用いる。アノード１とカソード２とは、白金を担持したカーボン粒子から構成されている。
【００３５】
電解質膜−電極接合体１０は、アノードセパレータ１８とカソードセパレータ１９によって把持されている。アノードセパレータ１８におけるアノード１と接する面には、アノードガス流路溝２０が形成され、カソードセパレータ１９におけるカソード２と接する面には、およびカソードガス流路溝２１が形成されている。
【００３６】
また、電気化学デバイス７にはアノード１から電解質膜３を経由してカソード２に流れる電流を流すための電源４が接続されている。電源４には、電源４の正極端子がアノード１に電気的に接続され、電源４の負極端子がカソード２に電気的に接続される直流電源を用いる。
【００３７】
さらに、電気化学デバイス７のアノードセパレータ１８には、アノードガス流路溝２０の一端と連通する接続経路１４を介して水素含有ガスを供給するガス供給手段６が接続されている。ガス供給手段６は、都市ガスから改質反応を利用して加湿された、水素の比率が８０％で二酸化炭素の比率が２０％の水素含有ガスを生成し、電気化学デバイス７に供給する燃料改質器で構成されている。
【００３８】
また、電気化学デバイス７の温度を調節する温度調節器１７は、設定された温度を一定に保つための熱交換器を用いる。
【００３９】
また、電気化学デバイス７には、電気化学デバイス７のアノードセパレータ１８から水素含有排ガスを排出するアノード排出経路１５が接続されている。アノード排出経路１５はアノードガス流路溝２０の他端と連通している。このアノード排出経路１５には、水素含有排ガスに含まれる単位時間当たりの水分量を測定する水分量検出手段９が備えられている。
【００４０】
制御器５には、水分量検出手段９で測定されたアノード排出経路１５を流れる水素含有排ガスに含まれる単位時間当たりの水分量が入力される。水分量検出手段９には、静電容量式の水分計を用いる。さらに、電気化学デバイス７のカソードセパレータ１９には、カソードガス流路溝２１から水素純度の高い水素含有ガスを排出するためのカソード排出経路１６が接続されている。
【００４１】
以上のように構成された本実施の形態の水素生成システム８について、図１を参照しながら、起動時の動作、作用を、図２を用いて説明する。
【００４２】
まず、温度調節器１７により、電気化学デバイス７の温度を６０℃に維持し、電源４から電気化学デバイス７に電流を流さない状態で、相対湿度９０％の水素含有ガスを、ガス供給手段６からアノードセパレータ１８を介してアノード１へ３．０Ｌ／ｍｉｎの流量で供給する。この水素含有ガスにおいて水分が占める割合は２３％であり、水蒸気量換算の水分供給量は０．７Ｌ／ｍｉｎである（Ｓ１０１）。
【００４３】
次に、制御器５は、水分量検出手段９によって測定した水分量が所定量の０．７Ｌ／ｍｉｎより小さい場合は、０．７Ｌ／ｍｉｎ以上になるまで判定を繰り返し行い、水分量が０．７Ｌ／ｍｉｎ以上になったら、Ｓ１０３に移行する（Ｓ１０２）。次に、電源４により、アノード１から電解質膜３を経由してカソード２へ１８０Ａの電流を流し、起動を終了する（Ｓ１０３）。
【００４４】
以上のような水素生成システム８では、電解質膜３は十分な湿潤状態になるまで供給された水素含有ガスから水分を奪う。また、電解質膜３が十分に湿潤すると、水素含有ガス中から水分を奪わなくなり、水素含有排ガス中の水分量は水素含有ガスと同じとなると共に、電解質膜３の水素イオン移動抵抗が低くなる。
【００４５】
本実施の形態では、起動前の水素イオン移動抵抗は０．１５ｍΩ、水素含有ガスから水分を奪わなくなる時の電解質膜３の水素イオン移動抵抗は０．０４ｍΩであり、起動前に比べて水素イオン移動抵抗が約７４％小さくなる。
【００４６】
よって、アノード１に供給した水素含有ガス中の水分量と同じ水分量０．７Ｌ／ｍｉｎが、水分量検出手段９で計測されてから、電気化学デバイス７に電流を流すので、水素生成システムの水素純化効率が高くなる。
【００４７】
以上のように、本実施の形態の水素生成システム８は、電解質膜３と電解質膜３を挟んで電解質膜３の一方の主面に配置されるアノード１と電解質膜３の他方の主面に配置されるカソード２とで構成される電解質膜−電極接合体１０を有し、アノード１に水素含有ガスを供給し、アノード１とカソード２との間にアノード１から電解質膜３を経由してカソード２に流れる電流を流すことで、カソード２において水素を生成する電気化学デバイス７と、接続経路１４とアノードセパレータ１８のアノードガス流路溝２０を介してアノード１に水素含有ガスを供給するガス供給手段６と、アノード１の電位がカソード２の電位よりも高くなるようにアノード１とカソード２に電気的に接続して電気化学デバイス７のアノード１とカソード２との間に電流を流すための電源４と、電気化学デバイス７のアノード１からアノードガス流路溝２０を介してアノード排出経路１５に排出される水素含有排ガスに含まれる水分量を測定する水分量検出手段９と、制御器５と、を備え、制御器５は、ガス供給手段６にアノード１への水素含有ガスの供給を開始させた後に、水分量検出手段９で測定された水素含有排ガスに含まれる単位時間当たりの水分量が、アノード１に供給した水素含有ガス中の水分量と同等（０．７Ｌ／ｍｉｎ）以上の水分量に増加したときに、電源４を制御してアノード１とカソード２との間にアノード１から電解質膜３を経由してカソード２に流れる１８０Ａの電流を流すように構成されている。
【００４８】
これにより、電解質膜３の水素イオン移動抵抗が低い状態で電気化学デバイス７に電流を流し、カソード２で水素を生成させることが可能となり、電気化学デバイス７に投入する電気量が少なくなる。これによって水素純化効率が高い水素生成システム８を提供することができる。
【００４９】
なお、本実施の形態においては、水分量検出手段９として、静電容量式の水分計を用いたが、これに限定されない。
【００５０】
（実施の形態２）
図３は、本発明の実施の形態２における水素生成システムの概略構成図を示すものである。図４は、本発明の実施の形態２における水素生成システムの運転方法のフローチャートである。
【００５１】
なお、図３に示す実施の形態２の水素生成システム１１において、図１に示す実施の形態１の水素生成システム８と同一構成については同一符号を付し、その説明を省略する。
【００５２】
図３に示す実施の形態２の水素生成システム１１において、図１に示す実施の形態１の水素生成システム８と異なるのは、実施の形態２の水素生成システム１１が、水素含有排ガスから分離した液水をためる回収タンク１３をさらに備え、水分量検出手段を、回収タンク１３の液水量を測定する液水量測定手段１２とした点である。
【００５３】
液水量測定手段１２には、フロートセンサを用いる。また、制御器５には、液水量測定手段１２で測定した単位時間当たりに増加した液水量が入力される。
【００５４】
以上のように構成された本実施の形態の水素生成システム１１について、図３を参照しながら、起動時の動作、作用を、図４を用いて説明する。
【００５５】
まず、温度調節器１７により、電気化学デバイス７の温度を６０℃に維持し、電源４から電気化学デバイス７に電流を流さない状態で、相対湿度９０％の水素含有ガスを、ガス供給手段６からアノードセパレータ１８を介してアノード１へ３．０Ｌ／ｍｉｎの流量で供給する。このうち水分が占める割合は２３％であり、液水量換算の水分供給量は０．５６ｇ／ｍｉｎである（Ｓ２０１）。
【００５６】
次に、制御器５は、液水量測定手段１２によって測定した単位時間当たりに増加した液水量が、所定量の０．５６ｇ／ｍｉｎより小さい場合は、０．５６ｇ／ｍｉｎ以上になるまで繰り返し判定をし、液水量測定手段１２によって測定した単位時間当たりに増加した液水量が０．５６ｇ／ｍｉｎ以上になったら、Ｓ２０３へ移行する（Ｓ２０２）。
【００５７】
次に、電源４により、アノード１から電解質膜３を介してカソード２へ１８０Ａの電流を流し、起動を終了する（Ｓ２０３）。
【００５８】
以上のような水素生成システム１１では、電解質膜３は十分な湿潤状態になるまで供給された水素含有ガスから水分を奪う。また、電解質膜３が十分に湿潤すると、水素含有ガス中から水分を奪わなくなり、水素含有排ガス中の液水量は水素含有ガス中の液水量と同じとなると共に、電解質膜３の水素イオン移動抵抗が低くなる。
【００５９】
本実施の形態では、起動前の水素イオン移動抵抗は０．１５ｍΩ、水素含有ガスから水分を奪わなくなる時の電解質膜３の水素イオン移動抵抗は０．０４ｍΩであり、起動前に比べて水素イオン移動抵抗が約７４％小さくなる。
【００６０】
よって、供給した水素含有ガス中の液水量と同じ液水量０．５６ｇ／ｍｉｎが、液水量測定手段１２で計測されてから、電気化学デバイス７に電流を流し、カソードで水素を生成させるようになり、電気化学デバイス７に投入する電気量が少なくなる。これによって水素生成システムの水素純化効率が高くなる。
【００６１】
以上のように、本実施の形態の水素生成システム１１は、電解質膜３と電解質膜３を挟んで電解質膜３の一方の主面に配置されるアノード１と電解質膜３の他方の主面に配置されるカソード２とで構成される電解質膜−電極接合体１０を有し、アノード１に水素含有ガスを供給し、アノード１とカソード２との間にアノード１から電解質膜３を経由してカソード２に流れる電流を流すことで、カソード２において水素を生成する電気化学デバイス７と、接続経路１４とアノードセパレータ１８のアノードガス流路溝２０を介してアノード１に水素含有ガスを供給するガス供給手段６と、アノード１の電位がカソード２の電位よりも高くなるようにアノード１とカソード２に電気的に接続して電気化学デバイス７のアノード１とカソード２との間に電流を流すための電源４と、電気化学デバイス７のアノード１からアノードガス流路溝２０を介してアノード排出経路１５に排出される水素含有排ガスから分離した液水をためる回収タンク１３と、回収タンク１３の液水量を測定する液水量測定手段１２と、制御器５と、を備え、制御器５は、ガス供給手段６にアノード１への水素含有ガスの供給を開始させた後に、液水量測定手段１２で測定された単位時間当たりに増加した液水量が０．５６ｇ／ｍｉｎ以上に増加したときに、電源４を制御してアノード１とカソード２との間にアノード１から電解質膜３を経由してカソード２に流れる１８０Ａの電流を流すように構成されている。
【００６２】
これにより、電解質膜３の水素イオン移動抵抗が低い状態で電気化学デバイス７に電流を流し、カソード２で水素を生成させることが可能となり、電気化学デバイス７に投入する電気量が少なくなる。これによって水素純化効率の高い水素生成システム１１を提供することができる。
【００６３】
また、水素含有排ガスに含まれる水分の変化量を、より確実に測定することができるため、電解質膜３の水素イオン移動抵抗が十分に低い状態になっているかを確実に検出することができる。
【産業上の利用可能性】
【００６４】
本発明にかかる水素生成システムは、電解質膜の水素イオン移動抵抗が十分に低くなった状態で運転を開始することで水素純化効率を向上できる。そのため、電気化学デバイスを用いて、水素と不純物を含む混合ガスから純度の高い水素を製造する水素生成システムに適用できる。
【符号の説明】
【００６５】
１        アノード
２        カソード
３        電解質膜
４        電源
５        制御器
６        ガス供給手段
７        電気化学デバイス
８，１１        水素生成システム
９        水分量検出手段
１０  電解質膜−電極接合体
１２  液水量測定手段
１３  回収タンク
１４  接続経路
１５  アノード排出経路
１６  カソード排出経路
１７  温度調節器
１８  アノードセパレータ
１９  カソードセパレータ
２０  アノードガス流路溝
２１  カソードガス流路溝
【図１】
2020075838.tif 000005
【図２】
2020075838.tif 000006
【図３】
2020075838.tif 000007
【図４】
2020075838.tif 000008